(57)【要約】【課題】メディアに複数種類の絵図又は／及び文字を上下方向に複数行並べてプリントして、それらの複数種類の絵図又は／及び文字を所望のカット線に沿ってカットする方法を提供する。【解決手段】絵図又は／及び文字がプリントされるプリント区画１１周囲のメディア１０部分に、その絵図又は／及び文字のプリント位置指定マーク２２と、その絵図又は／及び文字のプリント種類識別マーク２０と、その絵図又は／及び文字のプリント方向識別マーク２０とをプリントする。そして、それらのマーク２０、２２から、そのマーク内側にプリントされた絵図又は／及び文字の位置、種類、大きさ、上下左右方向のデータを読み取って、それらのデータに基づき、そのマーク２０、２２内側にプリントされた絵図又は／及び文字を所望のカット線１２に沿ってカットする。【選択図】図５
2006289699.tif 000002
【特許請求の範囲】
【請求項１】
プリンタにより複数種類の絵図又は／及び文字をメディアにプリントした後、そのメディアにプリントされた複数種類の絵図又は／及び文字を所望のカット線に沿ってカットする方法であって、
前記絵図又は／及び文字がプリントされるプリント区画周囲のメディア部分に、その絵図又は／及び文字のプリント位置指定マークとプリント種類識別マークとをプリントすることを特徴とする複数種類の絵図又は／及び文字をプリントしてカットする方法。
【請求項２】
プリンタにより複数種類の絵図又は／及び文字をメディアにプリントした後、そのメディアにプリントされた複数種類の絵図又は／及び文字を所望のカット線に沿ってカットする方法であって、
前記絵図又は／及び文字がプリントされるプリント区画周囲のメディア部分に、前記プリント位置指定マークとプリント種類識別マークとに加えて、その絵図又は／及び文字のプリント方向識別マークをプリントすることを特徴とする請求項１記載の複数種類の絵図又は／及び文字をプリントしてカットする方法。
【請求項３】
前記プリント種類識別マークとプリント方向識別マークとは、プリント位置指定マークに対して一定の位置関係にあるように前記メディア部分にプリントすることを特徴とする請求項２記載の複数種類の絵図又は／及び文字をプリントしてカットする方法。
【請求項４】
前記プリント種類識別マークとプリント方向識別マークとは、前記メディアにプリントする絵図又は／及び文字のプリント区画側辺のメディア部分にプリントすることを特徴とする請求項２記載の複数種類の絵図又は／及び文字をプリントしてカットする方法。
【請求項５】
前記複数種類の絵図又は／及び文字をメディアにプリントするプリンタに、インクジェットプリンタを用いることを特徴とする請求項１又は２記載の複数種類の絵図又は／及び文字をプリントしてカットする方法。
【請求項６】
前記プリント種類識別マークとプリント方向識別マークとプリント位置指定マークとを読み取って、それらの読み取ったマークのデータに基づき、該マーク内側のメディア部分にプリントされた絵図又は／及び文字を所望のカット線に沿ってカットすることを特徴とする請求項１又は２記載の複数種類の絵図又は／及び文字をプリントしてカットする方法。
【請求項７】
前記メディアにプリントされた複数種類の絵図又は／及び文字を所望のカット線に沿ってカットするカット装置に、カッティングプロッタを用いることを特徴とする請求項１又は２記載の複数種類の絵図又は／及び文字をプリントしてカットする方法。
【請求項８】
次のステップを含むことを特徴とする複数種類の絵図又は／及び文字をプリントしてカットする方法。
ａ．プリント及びカット用のメディアにプリントする複数種類の絵図又は／及び文字のプリントデータをそれぞれ作成して、それらのプリントデータを記憶手段に記憶させるステップ。
ｂ．前記記憶手段に記憶させたプリントデータにより前記メディアにプリントされる複数種類の絵図又は／及び文字を所望のカット線に沿ってそれぞれカットするカットデータを作成して、それらのカットデータを記憶手段に記憶させるステップ。
ｃ．前記メディアにプリントされる複数種類の絵図又は／及び文字の種類、大きさを識別するためのプリント種類識別マークデータと、その複数種類の絵図又は／及び文字の上下左右方向を識別するためのプリント方向識別マークデータと、その複数種類の絵図又は／及び文字の位置を認識するためのプリント位置指定マークデータとをそれぞれ作成して、それらのデータを記憶手段に記憶させるステップ。
ｄ．前記記憶手段に記憶されたプリントデータを用いて、前記メディアに複数種類の絵図又は／及び文字を、同一行には、同一種類で同一大きさの絵図又は／及び文字が同一方向を向いて複数並ぶように、その各行の最右端の絵図又は／及び文字のプリント区画の右側端を上下方向に揃えて、上下方向に複数行並べてプリントするステップ。
ｅ．前記記憶手段に記憶されたプリント種類識別マークデータとプリント方向識別マークデータとを用いて、前記メディアに所定行数上下方向に並べてプリントされる複数種類の絵図又は／及び文字のそれぞれのプリント区画側辺に、その内側にプリントされる絵図又は／及び文字の種類、大きさを識別するためのプリント種類識別マークと、その絵図又は／及び文字の上下左右方向を識別するためのプリント方向識別マークとをそれぞれプリントするステップ。
ｆ．前記記憶手段に記憶されたプリント位置指定マークデータを用いて、前記メディアに所定行数上下方向に並べてプリントされる複数種類の絵図又は／及び文字のそれぞれのプリント区画隅部に、その内側にプリントされる絵図又は／及び文字の位置を認識するためのプリント位置指定マークを、その各行の最右端の絵図又は／及び文字のプリント区画の右隅部のプリント位置指定マークが上下方向に一列に並ぶように、それぞれプリントするステップ。
ｇ．前記プリント位置指定マークが上下方向に一列に並ぶようにプリントされるメディア部分よりも右側のメディア右端に、カット開始位置を示す指標ラインを上下方向にプリントするステップ。
ｈ．前記メディアにプリントされた指標ラインに近い最下行の最右端の絵図又は／及び文字のプリント区画隅部のプリント位置指定マークと、その最下行の最右端の絵図又は／及び文字のプリント区画側辺のプリント種類識別マークとプリント方向識別マークとから、該マーク内側の絵図又は／及び文字の位置データとその絵図又は／及び文字の種類、大きさ及び上下左右方向のデータとを読み取るステップ。
ｉ．前記プリント位置指定マークとプリント種類識別マークとプリント方向識別マークとから読み取った絵図又は／及び文字の位置データと絵図又は／及び文字の種類、大きさ及び上下左右方向のデータとに基づいて、前記記憶手段に記憶された絵図又は／及び文字のカットデータを用いて、その内側のメディア部分にプリントされた絵図又は／及び文字を所望のカット線に沿ってカットするステップ。
ｊ．以下、その最下行の絵図又は／及び文字の左側に隣り合って並ぶ次の絵図又は／及び文字のプリント区画隅部のプリント位置指定マークとその絵図又は／及び文字のプリント区画側辺のプリント種類識別マークとプリント方向識別マークとから読み取った、該マーク内側の絵図又は／及び文字の位置データとその絵図又は／及び文字の種類、大きさ及び上下左右方向のデータとに基づいて、前記記憶手段に記憶された絵図又は／及び文字のカットデータを用いて、そのマーク内側のメディア部分にプリントされた絵図又は／及び文字を所望のカット線に沿ってカットするステップを、その最下行に並ぶ複数の絵図又は／及び文字につき、順次行うステップ。
ｋ．前記ｊのステップにより、最下行に並ぶ複数の絵図又は／及び文字をそのカット線に沿って順次カットし終えた後に、その最下行の絵図又は／及び文字に隣り合って並ぶ次の上の行の絵図又は／及び文字の最右端の絵図又は／及び文字のプリント区画隅部のプリント位置指定マークと、その最右端の絵図又は／及び文字のプリント区画側辺のプリント種類識別マークとプリント方向識別マークとを読み取って、その読み取った絵図又は／及び文字の位置データと絵図又は／及び文字の種類、大きさ及び上下左右方向のデータとに基づいて、前記記憶手段に記憶された絵図又は／及び文字のカットデータを用いて、そのマーク内側のメディア部分にプリントされた絵図又は／及び文字を所望のカット線に沿ってカットするステップ。
ｌ．以下、その絵図又は／及び文字の左側に隣り合って並ぶ同じ行の次の絵図又は／及び文字のプリント区画隅部のプリント位置指定マークとその絵図又は／及び文字のプリント区画側辺のプリント種類識別マークとプリント方向識別マークとから読み取った、該マーク内側の絵図又は／及び文字の位置データとその絵図又は／及び文字の種類、大きさ及び上下左右方向のデータとに基づいて、前記記憶手段に記憶された絵図又は／及び文字のカットデータを用いて、そのマーク内側のメディア部分にプリントされた絵図又は／及び文字を所望のカット線に沿ってカットするステップを、その同じ行に並ぶ複数の絵図又は／及び文字につき、順次行うステップ。
ｍ．以下、それに続けて、ｋ〜ｌと同様のステップを、メディアに複数行に分けて並べプリントされた次の上の行から最上行に至る複数の絵図又は／及び文字につき、順に繰り返し行うステップ。
【請求項９】
請求項８記載の複数種類の絵図又は／及び文字をプリントしてカットする方法に用いるプリント及びカット装置であって、
プリント及びカット用のメディアにプリントする複数種類の絵図又は／及び文字のプリントデータをそれぞれ作成するプリントデータ作成手段、及びそのプリントデータを記憶させる第１記憶手段と、
前記第１記憶手段に記憶させたプリントデータを用いて、前記メディアにプリントされる複数種類の絵図又は／及び文字を所望のカット線に沿ってそれぞれカットするカットデータを作成するカットデータ作成手段、及びそのカットデータを記憶させる第２記憶手段と、
前記メディアにプリントされる複数種類の絵図又は／及び文字の種類、大きさを識別するためのプリント種類識別マークデータと、その複数種類の絵図又は／及び文字の上下左右方向を識別するためのプリント方向識別マークデータとを作成する付加データ作成手段、その複数種類の絵図又は／及び文字の位置を認識するためのプリント位置指定マークデータを作成する位置データ作成手段、並びにそれらのプリント種類識別マークデータ、プリント方向識別マークデータ及びプリント位置指定マークデータを記憶させる第３記憶手段と、
前記第１記憶手段に記憶されたプリントデータを用いて、前記メディアに複数種類の絵図又は／及び文字を、同一行には、同一種類で同一大きさの絵図又は／及び文字が同一方向を向いて複数並ぶように、その各行の最右端の絵図又は／及び文字のプリント区画の右側端を上下方向に直線状に揃えて、上下方向に複数行並べてプリントする第１プリント手段と、
前記第３記憶手段に記憶されたプリント種類識別マークデータ及びプリント方向識別マークデータを用いて、前記メディアに所定行数上下方向に並べてプリントされる複数種類の絵図又は／及び文字のプリント区画側辺に、その内側にプリントされる絵図又は／及び文字の種類、大きさを識別するためのプリント種類識別マークと、その絵図又は／及び文字の上下左右方向を識別するためのプリント方向識別マークとをそれぞれプリントする第２プリント手段と、
前記第３記憶手段に記憶されたプリント位置指定マークデータを用いて、前記メディアに所定行数上下方向に並べてプリントされる複数種類の絵図又は／及び文字のプリント区画隅部に、その内側にプリントされる絵図又は／及び文字の位置を認識するためのプリント位置指定マークを、その各行の最右端の絵図又は／及び文字のプリント区画右隅部のプリント位置指定マークが上下方向に一列に並ぶように、それぞれプリントする第３プリント手段と、
前記プリント位置指定マークが上下方向に一列に並ぶようにプリントされるメディア部分よりも右側のメディア右端部分に、カット開始位置を示す指標ラインを上下方向にプリントする第４プリント手段と、
前記メディアに上下方向に複数行並べてプリントされた各絵図又は／及び文字のプリント区画隅部のプリント位置指定マークと、その各絵図又は／及び文字のプリント区画側辺のプリント種類識別マークとプリント方向識別マークとを読み取って、そのマーク内側の絵図又は／及び文字の位置データとその絵図又は／及び文字の種類、大きさ及び上下左右方向のデータとを認識する認識手段と、
前記認識手段によりプリント位置指定マークとプリント種類識別マークとプリント方向識別マークとから読み取った絵図又は／及び文字の位置データと絵図又は／及び文字の種類、大きさ及び上下左右方向のデータとに基づいて、前記第２記憶手段に記憶された絵図又は／及び文字のカット線データを用いて、そのマーク内側のメディア部分にプリントされた絵図又は／及び文字を所望のカット線に沿ってカットするカッティング手段とが備えられたことを特徴とするプリント及びカット装置。
【請求項１０】
請求項９記載のプリント及びカット装置であって、前記第１記憶手段に記憶されたメディアの上下方向に複数行並べてプリントされる複数種類の各絵図又は／及び文字のプリントパターン情報又は／及び前記第２記憶手段に記憶されたメディアにプリントされた複数種類の各絵図又は／及び文字を所望のカット線に沿ってそれぞれカットするカットパターン情報を表示する第１表示手段が備えられたことを特徴とするプリント及びカット装置。
【請求項１１】
請求項９又は１０記載のプリント及びカット装置であって、前記メディアの上下方向に複数行並べてプリントされた絵図又は／及び文字を所望のカット線に沿ってカットした絵図又は／及び文字のカット総数値又はその所望のカット線に沿ってカットした絵図又は／及び文字の種類毎のカット総数値と、前記第１プリント手段を用いて、前記メディアの上下方向に複数行並べてプリントした複数種類の絵図又は／及び文字のプリント総数値又はその絵図又は／及び文字の種類毎のプリント総数値とを並べて表示する第２表示手段が備えられたことを特徴とするプリント及びカット装置。
【発明の詳細な説明】
【技術分野】
【０００１】
本発明は、プリント及びカット用のメディアに複数種類の絵図又は／及び文字を上下方向に複数行並べてプリントして、それらの複数種類の絵図又は／及び文字を所望のカット線に沿ってそれぞれ順にカットする方法と、該方法に用いるプリント及びカット装置とに関する。
【背景技術】
【０００２】
シールやラベル等は、その裏面側に接着剤層が備えられたプリント及びカット用のシート等のメディア（以下、単にメディアという）に人物、動物、図形、記号等の様々の絵図又は／及び文字をプリントした後、そのメディアにプリントされた絵図又は／及び文字を、その輪郭線等の所望のカット線に沿ってカットして、作成される。
このシールやラベル等の作成作業においては、その多くが、インクジェットプリンタ等のプリンタを用いて、メディアに絵図又は／及び文字がプリントされた後、カッティングプロッタを用いて、そのメディアにプリントされた絵図又は／及び文字が所望のカット線に沿ってカットされる。
カッティングプロッタ（以下、単にプロッタという）には、縦型と呼ばれるものと、横型と呼ばれるものとがある。
縦型のプロッタは、図９に示したように、Ｙ方向（横方向）に長いほぼ蒲鉾状をしたプラテン２１０上をメディア１０をＸ方向（縦方向）に搬送したり、そのプラテン２１０上をＸ方向に搬送されるメディア１０上方をヘッド２５０をＹ方向に走行させたりして、ヘッド２５０をメディア１０上方をＸ−Ｙ方向に相対的に移動させている。そして、そのヘッド２５０に装着されたカッタ２４０により、メディア１０を所望のカット線に沿ってカットする構造をしている。
横型のプロッタは、図１０に示したように、ベッド状をした広いプラテン２１０上に搭載されたメディア１０上方を、ヘッド２５０をプラテン２１０表面とほぼ平行なＸ−Ｙ方向（縦横方向）に移動させている。そして、そのヘッド２５０に装着されたカッタ２４０により、プラテン２１０上に搭載されたメディア１０を所望のカット線に沿ってカットする構造をしている。
【特許文献１】特開２００２−２１１５２７号公報
【発明の開示】
【発明が解決しようとする課題】
【０００３】
このプリンタ及びプロッタを用いたシールやラベル等の作成作業においては、従来から絵図又は／及び文字を個々にまたは複数、位置指定マーク（トンボ）で囲いプリントし、その後、プロッタを用いて位置指定マーク（トンボ）を読み取り絵図又は／及び文字をカット線に沿って順次カットしていた。
また、絵図又は／及び文字の種類識別用（ＩＤコード）のマークもプリントされ、プロッタで絵図又は／及び文字をカットする情報として活用されていた。
このようなプリンタとプロッタの構成において、カットする際、プリントされたメディをプロッタにどのような向きでセットするか、ユーザーが目視でメディアのセット方向を確認する必要があった。
プリントされたメディアを誤った方向にプロッタにセットすると、プロッタが不動作になったり、プリントされた絵図又は／及び文字とは違うパターンでカットされ、作業時間のムダやプリントコストのムダの不具合いがあった。さらに、熟練したオペレータも必要であった。
【０００４】
また、このプリンタ及びプロッタを用いたシールやラベル等の作成作業においては、従来は、専ら、帯状等に連続する同一メディアには、全て同じ大きさの同一種類の同一方向を向く絵図又は／及び文字を上下方向に複数行に分けて並べてプリントしていた。そして、その同一メディアに並べてプリントされた同じ大きさの同一種類の同一方向を向く絵図又は／及び文字を、プロッタを用いて、所望のカット線に沿って順次カットしていた。
そのために、小ロッドに小分けされた、異なる大きさの同一種類の絵図又は／及び文字や複数種類の絵図又は／及び文字を持つシールやラベル等を作成する際には、その異なる大きさの同一種類毎の絵図又は／及び文字や複数種類毎の絵図又は／及び文字を、それぞれ異なる複数枚のメディアに分けて並べてプリントする必要があった。そして、その異なる複数枚のメディアにそれぞれ分けて並べてプリントされた大きさや種類が同一の絵図又は／及び文字を、所望のカット線に沿ってプロッタによりそれぞれ順にカットしていた。
そのために、その異なる大きさの同一種類の絵図又は／及び文字や複数種類の絵図又は／及び文字を持つ小ロッドのシールやラベル等を作成する作業には、多大な手数と時間を要した。
また、その同じ大きさや同一種類の同一方向を向く絵図又は／及び文字がプリントされる同一メディアに空きスペースが生じても、その空きスペースに同じ種類で異なる大きさの絵図又は／及び文字や他の種類の絵図又は／及び文字を追加プリントできなかった。そして、それらの異なる大きさや種類の絵図又は／及び文字を所望のカット線に沿ってカットすることができなかった。そして、そのメディアを空きスペース少なく有効利用できなかった。
【０００５】
また、シールやラベル用等のメディアには、ロール状に巻かれた帯状に長いメディアが用いられることが多い。そして、その帯状に長いメディアに複数の絵図又は／及び文字を並べてプリントする作業には、縦型と呼ばれるインクジェットプリンタが一般に用いられる。
縦型と呼ばれるインクジェットプリンタは、図１１と図１２に示したように、Ｙ方向（横方向）に長いほぼ蒲鉾状をしたプラテン１１０上を、帯状に長いメディア１０をＸ方向（縦方向）に搬送する構造をしている。プラテン１１０前方には、ロール状に巻かれた帯状に長いメディア１０を巻き戻して、プラテン１１０上に送り込むためのメディア巻き戻し手段１２０が備えられている。プラテン１１０後方には、プラテン後方に送り出されるメディア１０をロール状に巻き取るメディア巻き取り手段１３０が備えられている。プラテン１１０上方には、インクジェットヘッド１８０が備えられていて、そのインクジェットヘッド１８０をプラテン１１０上をＸ方向に搬送されるメディア１０上方をＹ方向に走行させる構造をしている。そして、そのインクジェットヘッド１８０をメディア１０上方をＸ−Ｙ方向に相対的に移動させながら、そのインクジェットヘッド１８０からインク滴をメディア１０に向けて所定のタイミングで噴射させる構造をしている。そして、メディア１０に複数のインクのドットの配列からなる絵図又は／及び文字をプリントする構造をしている。
【０００６】
この縦型のインクジェットプリンタによりプリントされて、プラテン１１０後方のメディア巻き取り手段１３０にロール状に巻き取られたメディア１０にプリントされた絵図又は／及び文字は、その上方向が、逆転して、ロール状に巻かれたメディアの外側方向を向かずに、ロール状に巻かれたメディアの内側方向を向いてしまっている。
そのために、そのロール状に巻かれたメディア１０にプリントされた絵図又は／及び文字を所望のカット線に沿ってカットする場合には、そのロール状に巻かれたメディア１０を、他のメディア巻き取り手段に逆方向に向けて巻き取り直していた。そして、そのメディア１０の上方向がロール状に巻かれたメディアの外側方向を向くように、そのメディア１０の上方向の向きを修正していた。その後、そのロール状に巻き取り直されて、その上方向が修正された、メディア１０を、プロッタのメディア巻き戻し手段２２０に支持していた。そして、そのロール状に巻き直されたメディア１０を、プロッタのプラテン２１０上に送り込んでいた。
その結果、その帯状に長いメディア１０に並べてプリントされた絵図又は／及び文字を所望のカット線に沿ってプロッタによりカットする作業には、多くの時間を要した。
【０００７】
本発明は、このような課題を解消するためのものであって、プロッタがカットすべき絵図又は／及び文字の方向が判断可能となり、プロッタにプリントされた絵図又は／及び文字のメディアをセットする際、そのプリントされたメディアの載置方向をどのように置いても、正確にカットできるプリント及びカット装置を提供することを、第１の目的としている。
また、異なる大きさの同一種類の絵図又は／及び文字や複数種類の絵図又は／及び文字を同一のメディアに様々の方向に向けて空きスペース少なく並べてプリントして、その同一メディアに様々の方向に向けて並べてプリントされた異なる大きさの同一種類の絵図又は／及び文字や複数種類の絵図又は／及び文字を所望のカット線に沿ってプロッタにより手数と時間を掛けずに容易かつ迅速にカットできる、複数種類の絵図又は／及び文字をプリントしてカットする方法と、それに用いるプリント及びカット装置を提供することを、第２の目的としている。
さらに、縦型のインクジェットプリンタ等を用いてプリントされて、プリンタのメディア巻き取り手段にロール状に巻き取られたメディアを、他のメディア巻き戻し手段に逆方向に向けて巻き取り直さずとも、その上方向がロール状に巻かれたメディアの内側方向を向くメディアに並べてプリントされた絵図又は／及び文字を所望のカット線に沿ってプロッタにより手数と時間を掛けずに容易かつ迅速にカットできる、複数種類の絵図又は／及び文字をプリントしてカットする方法と、それに用いるプリント及びカット装置を提供することを、第３の目的としている。
【課題を解決するための手段】
【０００８】
上記第１の目的を達成するために、本発明の複数種類の絵図又は／及び文字をプリントしてカットする方法は、次の複数の要件を含むことを特徴としている。
即ち、プリンタにより複数種類の絵図又は／及び文字をメディアにプリントした後、そのメディアにプリントされた複数種類の絵図又は／及び文字を所望のカット線に沿ってカットする方法であって、
その絵図又は／及び文字がプリントされるプリント区画周囲のメディア部分に、その絵図又は／及び文字のプリント位置指定マークとプリント種類識別マークとをプリントすることと、
その絵図又は／及び文字がプリントされるプリント区画周囲のメディア部分に、プリント位置指定マークとプリント種類識別マークとに加えて、その絵図又は／及び文字のプリント方向識別マークをプリントすることを特徴としている。
【０００９】
絵図又は／及び文字のプリント区画周囲のメディア部分にプリントするプリント位置指定マークは、トンボと呼称される「Ｌ」の字型ものが代表であるが、丸印、四角などその役割を規定した記号も使われる。このプリント位置指定マークは、絵図又は／及び文字の伸び、歪み等の変形を検知するものであり、これが絵図又は／及び文字がそのメディアにプリントされた形状に忠実にカットされる情報をプロッタに与えるマークとなる。
この位置指定マークと共にプリント種類識別マークをプリントすると、そのマーク内側にプリントされた絵図又は／及び文字がどのような種類、大きさのものであるかを識別できるようになる。プリント種類識別マークには、ＩＤコードのバーコード、２次元バーコードを利用できる。
さらに、絵図又は／及び文字のプリント方向識別マークをプリントすると、プリント位置指定マーク内側にプリントされた絵図又は／及び文字がどの方向に向いているかを識別できるようになり、そのカットする絵図又は／及び文字の上下左右方向の向きを正確に判別できる。プリント方向識別マークには、プリント種類識別マークと同じ、ＩＤコードのバーコード、２次元バーコードを利用できる。
【００１０】
本発明の複数種類の絵図又は／及び文字をプリントしてカットする方法において、前記プリント種類識別マークとプリント方向識別マークとは、プリント位置指定マークに対して一定の位置関係にあるように前記メディア部分にプリントすることを好適としている。
また、前記プリント種類識別マークとプリント方向識別マークとは、前記メディアにプリントする絵図又は／及び文字のプリント区画側辺のメディア部分にプリントすることを好適としている。
【００１１】
プリント種類識別マークとプリント方向識マークとは、個別のマークまたは共通のマークとし、プリント位置指定マークに対して一定の位置関係にあるようにプリントする。これにより絵図又は／及び文字を所望のカット線に沿ってプロッタでカットする際に、プリント位置指定マークを読み取りながら、プリント種類識別マークとプリント方向識別マークも読み取りできるようになる。
好適な例は、プリント位置指定マークを読み取るための機械的な走査の途中にプリント種類識別マークとプリント方向識別マークの両方を存在させる。また、それらのマークには、ＩＤコードのバーコードを用いて、そのコード内に絵図又は／及び文字のプリント種類識別用とプリント方向識別用の両方の情報を表現するのと同時に、絵図又は／及び文字のプリント位置指定マークとの間にプリント種類識別マークとプリント方向識別マークの両方を配置すると、プリント位置指定マークを読み取りながら、プリント種類識別マークとプリント方向識別マークも容易に読み取りできるようになる。
【００１２】
本発明の複数種類の絵図又は／及び文字をプリントしてカットする方法においては、前記複数種類の絵図又は／及び文字をメディアにプリントするプリンタに、インクジェットプリンタを用いることを好適としている。
また、本発明の複数種類の絵図又は／及び文字をプリントしてカットする方法においては、前記プリント種類識別マークとプリント方向識別マークとプリント位置指定マークとを読み取って、それらの読み取ったマークのデータに基づき、該マーク内側のメディア部分にプリントされた絵図又は／及び文字を所望のカット線に沿ってカットすることを好適としている。
さらに、本発明の複数種類の絵図又は／及び文字をプリントしてカットする方法においては、前記メディアにプリントされた複数種類の絵図又は／及び文字を所望のカット線に沿ってカットするカット装置に、カッティングプロッタを用いることを好適としている。
【００１３】
本発明の第１の目的は、絵図又は／及び文字のプリント位置指定マークとプリント種類識別マークとプリント方向識別マークが、それらのマーク内側の絵図又は／及び文字プリントされるプリント区画周囲のメディア部分にプリントされ、それらのマークのデータをプロッタが読み取り判読することにより達成できる。
【００１４】
また、前記第２、第３の目的を達成するために、本発明の複数種類の絵図又は／及び文字をプリントしてカットする方法は、次のａ〜ｍのステップを含むことを特徴としている。
ａ．プリント及びカット用のメディアにプリントする複数種類の絵図又は／及び文字のプリントデータをそれぞれ作成して、それらのプリントデータを記憶手段に記憶させるステップ。
ｂ．前記記憶手段に記憶させたプリントデータにより前記メディアにプリントされる複数種類の絵図又は／及び文字を所望のカット線に沿ってそれぞれカットするカットデータを作成して、それらのカットデータを記憶手段に記憶させるステップ。
ｃ．前記メディアにプリントされる複数種類の絵図又は／及び文字の種類、大きさを識別するためのプリント種類識別マークデータと、その複数種類の絵図又は／及び文字の上下左右方向を識別するためのプリント方向識別マークデータと、その複数種類の絵図又は／及び文字の位置を認識するためのプリント位置指定マークデータとをそれぞれ作成して、それらのデータを記憶手段に記憶させるステップ。
ｄ．前記記憶手段に記憶されたプリントデータを用いて、前記メディアに複数種類の絵図又は／及び文字を、同一行には、同一種類で同一大きさの絵図又は／及び文字が同一方向を向いて複数並ぶように、その各行の最右端の絵図又は／及び文字のプリント区画の右側端を上下方向に揃えて、上下方向に複数行並べてプリントするステップ。
ｅ．前記記憶手段に記憶されたプリント種類識別マークデータとプリント方向識別マークデータとを用いて、前記メディアに所定行数上下方向に並べてプリントされる複数種類の絵図又は／及び文字のそれぞれのプリント区画側辺に、その内側にプリントされる絵図又は／及び文字の種類、大きさを識別するためのプリント種類識別マークと、その絵図又は／及び文字の上下左右方向を識別するためのプリント方向識別マークとをそれぞれプリントするステップ。
ｆ．前記記憶手段に記憶されたプリント位置指定マークデータを用いて、前記メディアに所定行数上下方向に並べてプリントされる複数種類の絵図又は／及び文字のそれぞれのプリント区画隅部に、その内側にプリントされる絵図又は／及び文字の位置を認識するためのプリント位置指定マークを、その各行の最右端の絵図又は／及び文字のプリント区画の右隅部のプリント位置指定マークが上下方向に一列に並ぶように、それぞれプリントするステップ。
ｇ．前記プリント位置指定マークが上下方向に一列に並ぶようにプリントされるメディア部分よりも右側のメディア右端に、カット開始位置を示す指標ラインを上下方向にプリントするステップ。
ｈ．前記メディアにプリントされた指標ラインに近い最下行の最右端の絵図又は／及び文字のプリント区画隅部のプリント位置指定マークと、その最下行の最右端の絵図又は／及び文字のプリント区画側辺のプリント種類識別マークとプリント方向識別マークとから、該マーク内側の絵図又は／及び文字の位置データとその絵図又は／及び文字の種類、大きさ及び上下左右方向のデータとを読み取るステップ。
ｉ．前記プリント位置指定マークとプリント種類識別マークとプリント方向識別マークとから読み取った絵図又は／及び文字の位置データと絵図又は／及び文字の種類、大きさ及び上下左右方向のデータとに基づいて、前記記憶手段に記憶された絵図又は／及び文字のカットデータを用いて、そのマーク内側のメディア部分にプリントされた絵図又は／及び文字を所望のカット線に沿ってカットするステップ。
ｊ．以下、その最下行の絵図又は／及び文字の左側に隣り合って並ぶ次の絵図又は／及び文字のプリント区画隅部のプリント位置指定マークとその絵図又は／及び文字のプリント区画側辺のプリント種類識別マークとプリント方向識別マークとから読み取った、該マーク内側の絵図又は／及び文字の位置データとその絵図又は／及び文字の種類、大きさ及び上下左右方向のデータとに基づいて、前記記憶手段に記憶された絵図又は／及び文字のカットデータを用いて、そのマーク内側のメディア部分にプリントされた絵図又は／及び文字を所望のカット線に沿ってカットするステップを、その最下行に並ぶ複数の絵図又は／及び文字につき、順次行うステップ。
ｋ．前記ｊのステップにより、最下行に並ぶ複数の絵図又は／及び文字をそのカット線に沿って順次カットし終えた後に、その最下行の絵図又は／及び文字に隣り合って並ぶ次の上の行の絵図又は／及び文字の最右端の絵図又は／及び文字のプリント区画隅部のプリント位置指定マークと、その最右端の絵図又は／及び文字のプリント区画側辺のプリント種類識別マークとプリント方向識別マークとから、該マーク内側の絵図又は／及び文字の位置データとその絵図又は／及び文字の種類、大きさ及び上下左右方向のデータとを読み取って、その読み取った絵図又は／及び文字の位置データと絵図又は／及び文字の種類、大きさ及び上下左右方向のデータとに基づいて、前記記憶手段に記憶された絵図又は／及び文字のカットデータを用いて、そのマーク内側のメディア部分にプリントされた絵図又は／及び文字を所望のカット線に沿ってカットするステップ。
ｌ．以下、その絵図又は／及び文字の左側に隣り合って並ぶ同じ行の次の絵図又は／及び文字のプリント区画隅部のプリント位置指定マークとその絵図又は／及び文字のプリント区画側辺のプリント種類識別マークとプリント方向識別マークとから読み取った、該マーク内側の絵図又は／及び文字の位置データとその絵図又は／及び文字の種類、大きさ及び上下左右方向のデータとに基づいて、前記記憶手段に記憶された絵図又は／及び文字のカットデータを用いて、そのマーク内側のメディア部分にプリントされた絵図又は／及び文字を所望のカット線に沿ってカットするステップを、その同じ行に並ぶ複数の絵図又は／及び文字につき、順次行うステップ。
ｍ．以下、それに続けて、ｋ〜ｌと同様のステップを、メディアに複数行に分けて並べプリントされた次の上の行から最上行に至る複数の絵図又は／及び文字につき、順に繰り返し行うステップ。
【００１５】
また、前記第２、第３の目的を達成するために、本発明のプリント及びカット装置は、本発明の複数種類の絵図又は／及び文字をプリントしてカットする方法に用いるプリント及びカット装置であって、
プリント及びカット用のメディアにプリントする複数種類の絵図又は／及び文字のプリントデータをそれぞれ作成するプリントデータ作成手段、及びそれらの作成手段により作成したプリントデータを記憶させる第１記憶手段と、
前記第１記憶手段に記憶させたプリントデータを用いて、前記メディアにプリントされる複数種類の絵図又は／及び文字を所望のカット線に沿ってそれぞれカットするカットデータを作成するカットデータ作成手段、及びそれらのカットデータを記憶させる第２記憶手段と、
前記メディアにプリントされる複数種類の絵図又は／及び文字の種類、大きさを識別するためのプリント種類識別マークデータと、その複数種類の絵図又は／及び文字の上下左右方向を識別するためのプリント方向識別マークデータとを作成する付加データ作成手段、その複数種類の絵図又は／及び文字の位置を認識するためのプリント位置指定マークデータを作成する位置データ作成手段、並びにそれらのプリント種類識別マークデータ、プリント方向識別マークデータ及びプリント位置指定マークデータを記憶させる第３記憶手段と、
前記第１記憶手段に記憶されたプリントデータを用いて、前記メディアに複数種類の絵図又は／及び文字を、同一行には、同一種類で同一大きさの絵図又は／及び文字が同一方向を向いて複数並ぶように、その各行の最右端の絵図又は／及び文字のプリント区画の右側端を上下方向に揃えて、上下方向に複数行並べてプリントする第１プリント手段と、
前記第３記憶手段に記憶されたプリント種類識別マークデータ及びプリント方向識別マークデータを用いて、前記メディアに所定行数上下方向に並べてプリントされる複数種類の絵図又は／及び文字のプリント区画側辺に、その内側にプリントされる絵図又は／及び文字の種類、大きさを識別するためのプリント種類識別マークと、その絵図又は／及び文字の上下左右方向を識別するためのプリント方向識別マークとをそれぞれプリントする第２プリント手段と、
前記第３記憶手段に記憶されたプリント位置指定マークデータを用いて、前記メディアに所定行数上下方向に並べてプリントされる複数種類の絵図又は／及び文字のプリント区画隅部に、その内側にプリントされる絵図又は／及び文字の位置を認識するためのプリント位置指定マークを、その各行の最右端の絵図又は／及び文字のプリント区画右隅部のプリント位置指定マークが上下方向に一列に並ぶように、それぞれプリントする第３プリント手段と、
前記プリント位置指定マークが上下方向に一列に並ぶようにプリントされるメディア部分よりも右側のメディア右端部分に、カット開始位置を示す指標ラインを上下方向にプリントする第４プリント手段と、
前記メディアに上下方向に複数行並べてプリントされた各絵図又は／及び文字のプリント区画隅部のプリント位置指定マークと、その各絵図又は／及び文字のプリント区画側辺のプリント種類識別マークとプリント方向識別マークとを読み取って、そのマーク内側の絵図又は／及び文字の位置データとその絵図又は／及び文字の種類、大きさ及び上下左右方向のデータとを認識する認識手段と、
前記認識手段によりプリント位置指定マークとプリント種類識別マークとプリント方向識別マークとから読み取った絵図又は／及び文字の位置データと絵図又は／及び文字の種類、大きさ及び上下左右方向のデータとに基づいて、前記第２記憶手段に記憶された絵図又は／及び文字のカットデータを用いて、そのマーク内側のメディア部分にプリントされた絵図又は／及び文字を所望のカット線に沿ってカットするカッティング手段とが備えられたことを特徴としている。
【００１６】
この複数種類の絵図又は／及び文字をプリントしてカットする方法に用いるプリント及びカット装置においては、
そのａのステップにおいて、プリント及びカット装置のプリントデータ作成手段を用いて、プリント及びカット用のメディアの上下方向に、同じ行には同一種類で同一大きさの絵図又は／及び文字を同一方向に向けて、複数行に分けて並べてプリントする複数種類の絵図又は／及び文字のプリントデータをそれぞれ作成できる。そして、それらのプリントデータを、プリント及びカット装置の第１記憶手段に記憶させることができる。
次いで、そのｂのステップにおいて、第１記憶手段に記憶させたプリントデータによりメディアの上下方向に複数行に分けて並べてプリントされる複数種類の絵図又は／及び文字を所望のカット線に沿ってそれぞれカットするカットデータを、プリント及びカット装置のカットデータ作成手段を用いて、作成できる。そして、それらのカットデータを、プリント及びカット装置の第２記憶手段に記憶させることができる。
次いで、そのｃのステップにおいて、メディア表面の上下方向に複数行に分けて並べてプリントされる複数種類の絵図又は／及び文字の種類、大きさを認識するためのプリント種類識別マークデータと、その複数種類の絵図又は／及び文字の上下左右方向を認識するためのプリント方向識別マークデータと、その複数種類の絵図又は／及び文字の位置を認識するためのプリント位置指定マークデータとを、プリント及びカット装置の付加データ作成手段並びに位置データ作成手段を用いて、それぞれ作成できる。そして、それらのデータを、プリント及びカット装置の第３記憶手段に記憶させることができる。
次いで、そのｄのステップにおいて、第１記憶手段に記憶されたプリントデータを用いて、プリント及びカット装置の第１プリント手段により、メディアに複数種類の絵図又は／及び文字を、同一行には、同一種類で同一大きさの絵図又は／及び文字が同一方向を向いて複数並ぶように、その各行の最右端の絵図又は／及び文字のプリント区画の外側辺を上下方向に揃えて、上下方向に複数行に分けて並べてプリントできる。
それと共に、そのｅのステップにおいて、第３記憶手段に記憶されたプリント種類認識マークデータ及びプリント方向認識マークデータを用いて、プリント及びカット装置の第２プリント手段により、メディアに上下方向に複数行に分けて並べてプリントされる複数種類の絵図又は／及び文字のプリント区画のそれぞれの側辺に、その内側のプリント区画にプリントされる絵図又は／及び文字の種類、大きさを認識するためのプリント種類認識マークと、その絵図又は／及び文字の上下左右方向を認識するためのプリント方向認識マークとをそれぞれプリントできる。
それと共に、そのｆのステップにおいて、第３記憶手段に記憶されたプリント位置指定マークデータを用いて、プリント及びカット装置の第３プリント手段により、メディアに上下方向に複数行に分けて並べてプリントされる複数種類の絵図又は／及び文字のプリント区画隅部に、その内側のプリント区画にプリントされる絵図又は／及び文字の位置を認識するためのプリント位置指定マークを、その各行の最右端の絵図又は／及び文字のプリント区画の外側隅部のプリント位置指定マークが上下方向に一列に並ぶように、それぞれプリントできる。
加えて、そのｇのステップにおいて、プリント及びカット装置の第３プリント手段を用いて、前記プリント位置指定マークが上下方向に一列に並ぶようにプリントされるメディア部分よりも外側のメディア端部に、カット開始位置を示す指標ラインを上下方向にプリントできる。
次いで、そのｈのステップにおいて、プリント及びカット装置の認識手段を用いて、メディアにプリントされた指標ラインに近い最下行の最右端の絵図又は／及び文字のプリント区画隅部のプリント位置指定マークと、その最下行の最右端の絵図又は／及び文字のプリント区画側辺のプリント種類認識マークとプリント方向認識マークとを認識手段により読み取って、それらの読み取ったマークのデータから、該マーク内側のプリント区画にプリントされた絵図又は／及び文字の位置データとその絵図又は／及び文字の種類、大きさ及び上下左右方向のデータを認識できる。
その際には、メディアにプリントされた指標ラインに近い最下行の最右端の絵図又は／及び文字が、メディアのいずれの側の端部に位置しているかを、指標ラインを見て、誤りなく確実に判別できる。そして、その判別結果に基づき、プリント及びカット装置の認識手段を、その指標ラインに近い最下行の最右端の端部の絵図又は／及び文字のプリント区画隅部のプリント位置指定マーク上方と、その最下行の最右端の絵図又は／及び文字のプリント区画側辺のプリント種類認識マーク及びプリント方向認識マーク上方とに移動させて、それらのマークのデータを見誤りなく確実に読み取ることができる。
次いで、そのｉのステップにおいて、そのプリント位置マークとプリント種類識別マークとプリント方向識別マークとから読み取った、該マーク内側の絵図又は／及び文字の位置データと絵図又は／及び文字の種類、大きさ及び上下左右方向のデータとに基づいて、第２記憶手段に記憶された絵図又は／及び文字のカットデータを用いて、プリント及びカット装置のカッティング手段により、そのマーク内側のプリント区画にプリントされた絵図又は／及び文字を所望のカット線に沿ってカットできる。
以下、それに続けて、そのｊのステップにおいて、その最下行の絵図又は／及び文字の内側に隣り合って並ぶ同じ行の次の絵図又は／及び文字のプリント区画隅部のプリント位置指定マークとその絵図又は／及び文字のプリント区画側辺のプリント種類識別マーク及びプリント方向識別マークとを認識手段により読み取ることができる。そして、それらの読み取ったマークのデータから、該マーク内側のプリント区画にプリントされた絵図又は／及び文字の位置データとその絵図又は／及び文字の種類、大きさ及び上下左右方向のデータを認識できる。そして、それらの認識された絵図又は／及び文字の位置データとその絵図又は／及び文字の種類、大きさ及び上下左右方向のデータとに基づいて、前記第２記憶手段に記憶された絵図又は／及び文字のカットデータを用いて、プリント及びカット装置のカッティング手段により、そのマーク内側のプリント区画にプリントされた絵図又は／及び文字を所望のカット線に沿ってカットするステップを、その最下行に並ぶ複数の絵図又は／及び文字の全てにつき、順次行うことができる。
このようにして、ｊのステップにおいて、プリント及びカット装置のカッティング手段により、その最下行に並ぶ複数の絵図又は／及び文字の全てを所望のカット線に沿って順次カットし終えた後には、次のｋのステップにおいて、その最下行の絵図又は／及び文字の次の上の行の絵図又は／及び文字の最右端の絵図又は／及び文字のプリント区画隅部のプリント位置指定マークと、その最右端の絵図又は／及び文字のプリント区画側辺のプリント種類識別マーク及びプリント方向識別マークとを、プリント及びカット装置の認識手段により読み取ることができる。そして、それらの読み取ったマークのデータから、該マーク内側のプリント区画にプリントされた絵図又は／及び文字の位置データとその絵図又は／及び文字の種類、大きさ及び上下左右方向のデータとを認識できる。そして、それらの認識された絵図又は／及び文字の位置データと絵図又は／及び文字の種類、大きさ及び上下左右方向のデータとに基づいて、第２記憶手段に記憶された絵図又は／及び文字のカットデータを用いて、プリント及びカット装置のカッティング手段により、そのマーク内側のプリント区画にプリントされた絵図又は／及び文字を所望のカット線に沿ってカットできる。
以下、それに続けて、そのｌのステップにおいて、その絵図又は／及び文字の内側に隣り合って並ぶ同じ行の次の絵図又は／及び文字のプリント区画部のプリント位置指定マークとその絵図又は／及び文字のプリント区画側辺のプリント種類識別マーク及びプリント方向識別マークとを、プリント及びカット装置の認識手段により読み取ることができる。そして、それらの読み取ったデータから、該マーク内側のプリント区画にプリントされた絵図又は／及び文字の位置データとその絵図又は／及び文字の種類、大きさ及び上下左右方向のデータとを認識できる。そして、その認識された絵図又は／及び文字の位置データとその絵図又は／及び文字の種類、大きさ及び上下左右方向のデータとに基づいて、第２記憶手段に記憶された絵図又は／及び文字のカットデータを用いて、プリント及びカット装置のカッティング手段により、そのマーク内側のプリント区画にプリントされた絵図又は／及び文字を所望のカット線に沿ってカットするステップを、その同じ行に並ぶ複数の絵図又は／及び文字の全てにつき、順次行うことができる。
以下、それに続けて、そのｍのステップにおいては、上記ｋ〜ｌと同様のステップを、メディアに複数行に分けて並べてプリントされた次の上の行から最上行に至る複数の絵図又は／及び文字につき、順に繰り返し行うことができる。
このｋ〜ｍのステップにおいて、下の行から次の上の行の複数の絵図又は／及び文字を所望のカット線に沿ってカットするステップに移る際には、その各行に並ぶ最右端の絵図又は／及び文字のプリント区画の外側辺が上下方向に揃っているために、その各行に並ぶ最右端の絵図又は／及び文字のプリント区画の外側辺を、その絵図又は／及び文字が並べてプリントされた各行上方を認識手段を移動させる際の開始線上方に定めることができる。そして、その開始線上方に認識手段を素早く移動させて、その各行の最右端の絵図又は／及び文字のプリント区画隅部のプリント位置指定マークと、その最右端の端部の絵図又は／及び文字のプリント区画側辺のプリント種類識別マーク及びプリント方向識別マークとを、認識手段により時間を掛けずに迅速に読み取りできる。
そして、このようなａ〜ｍまでのステップを行うことにより、同じメディアに異なる大きさや異なる種類の絵図又は／及び文字を、同じ行には同一種類で同一大きさの絵図又は／及び文字を同一方向に向けて、上下方向に複数行に分けて並べてプリントして、それらのメディアにプリントされた絵図又は／及び文字の全てを所望のカット線に沿って余す所なく順次カットすることが可能となる。
また、そのメディアに並べてプリントされた異なる大きさや種類の絵図又は／及び文字の種類、大きさ及び上下左右方向のデータを、その各絵図又は／及び文字のプリント区画側辺にそれぞれプリントされたプリント種類識別マーク及びプリント方向識別マークを、プリント及びカット装置の認識手段により読み取ることにより、正しく認識できる。そして、その認識結果に基づいて、プリント及びカット装置のカッティング手段を用いて、そのマーク内側のプリント区画にプリントされた絵図又は／及び文字を所望のカット線に沿って常に誤りなくカットできる。そのために、そのメディアに並べてプリントされた異なる大きさや種類の絵図又は／及び文字の方向が上下逆転していたり左右逆転していたりしても、その絵図又は／及び文字を所望のカット線に沿って何ら支障なく常に正確にカット可能となる。
【００１７】
本発明のプリント及びカット装置においては、前記第１、第３記憶手段に記憶されたメディアの上下方向に複数行に分けて並べてプリントする複数種類の絵図又は／及び文字とその複数種類の絵図又は／及び文字のプリント位置指定データ、プリント種類識別マーク及びプリント方向識別マークのそれぞれのプリント情報又は／及び前記第２記憶手段に記憶されたメディアの上下方向に複数行に分けて並べてプリントされる複数種類の絵図又は／及び文字を所望のカット線に沿ってそれぞれカットするカット情報を表示する第１表示手段が備えられた構造とすると良い。
【００１８】
そうした場合には、その第１表示手段に表示されるプリント情報又は／及びカット情報から、メディアの上下方向に複数行に分けて並べてプリントする複数種類の絵図又は／及び文字のプリント情報、並びにその絵図又は／及び文字のプリント位置指定マーク、プリント種類識別マーク及びプリント方向識別マークのプリント情報の全てが、第１、第２、第３プリント手段駆動用の第１、第３記憶手段にそれぞれ余すところなく記憶されたか否かを、容易かつ確実に確認できる。
又はそれに代えて、又はそれに加えて、メディアの上下方向に複数行に分けて並べてプリントされる複数種類の絵図又は／及び文字を所望のカット線に沿ってカットするカッティング手段駆動用のカット情報の全てが、カッティング手段駆動用の第２記憶手段に余す所なく記憶されたか否かを、容易かつ確実に確認できる。
【００１９】
本発明のプリント及びカット装置においては、前記第１プリント手段を用いて、前記メディアの上下方向に複数行に分けて並べてプリントした複数種類の絵図又は／及び文字のプリント総数値又はその複数種類毎の絵図又は／及び文字のプリント総数値と、前記カッティング手段を用いて、前記メディアの上下方向に複数行に分けて並べてプリントされた複数種類の絵図又は／及び文字を所望のカット線に沿ってカットしたカット総数値又はその複数種類毎の絵図又は／及び文字を所望のカット線に沿ってカットしたカット総数値とを並べて表示する第２表示手段が備えられた構造とすると良い。
【００２０】
そうした場合には、第１プリント手段によりメディアの上下方向に複数行に分けて並べてプリントした複数種類の絵図又は／及び文字のプリント総数値又はその複数種類毎の絵図又は／及び文字のプリント総数値と、カッティング手段によりメディアに上下方向に複数行に分けて並べてプリントされた複数種類の絵図又は／及び文字を所望のカット線に沿ってカットしたカット総数値又はその複数種類毎の絵図又は／及び文字を所望のカット線に沿ってカットしたカット総数値とを、第２表示手段に並べて表示できる。そして、その第２表示手段に並べて表示されたプリント総数値とカット総数値との差から、そのメディアに上下方向に複数行に分けて並べてプリントされた複数種類の絵図又は／及び文字の全てが、所望のカット線に沿って余すところなくカットされたか否か、又はそのメディアにプリントされた複数種類毎の絵図又は／及び文字の全てが、所望のカット線に沿って余すところなくカットされたか否かを、容易かつ確実に確認できる。
【発明の効果】
【００２１】
以上説明したように、本発明の複数種類の絵図又は／及び文字をプリントしてカットする方法によれば、本発明のプリント及びカット装置を用いた場合に、プリントされたメディアを誤った方向にプロッタにセットしても、プロッタが不動作になったり、プリントされた絵図又は／及び文字とは違うパターンでカットされることがなくなり、作業時間のムダやプリントコストのムダの不具合が解消される。
また、熟練したオペレータでなくても誤った作業でミスが軽減される。
さらに、以下のような効果もあげられる。即ち、同じメディアに異なる大きさや異なる複数種類の絵図又は／及び文字を、空きスペース少なく、そのメディアを極力有効利用するように、その異なる大きさや異なる複数種類の絵図又は／及び文字のそれぞれを互いに異なる上下左右のいずれかの方向に向けて、上下方向に複数行に分けて並べてプリントできる。そして、それらのメディアにプリントされた異なる大きさや異なる複数種類の絵図又は／及び文字であって、互いに異なる方向を向く等した絵図又は／及び文字の全てを、所望のカット線に沿って、順次、その上下左右方向を見誤らずに狂いなく正確にカットすることが可能となる。
また、そのメディアに並べてプリントされた異なる大きさや種類の絵図又は／及び文字の上下左右方向を、その各絵図又は／及び文字のプリント区画側辺にそれぞれプリントされたプリント種識別マーク及びプリント方向識別マークを、プリント及びカット装置の認識手段により読み取ることにより、正しく認識できる。そして、その認識結果に基づいて、プリント及びカット装置のカッティング手段を用いて、そのマーク内側のプリント区画にプリントされた絵図又は／及び文字を、所望のカット線に沿ってその絵図又は／及び文字の上下左右方向を見誤ることなく常に正確にカットできる。そのために、前述のように、縦型のインクジェットプリンタによりプリントされて、そのプラテン後方のメディア巻き取り手段にロール状に巻き取られたメディアを、他のメディア巻き取り手段に巻き取り直さずとも、その上方向が逆転してロール状に巻かれたメディアの内側方向を向く、メディアに並べてプリントされた異なる大きさや種類の絵図又は／及び文字を、所望のカット線に沿って手数と時間を掛けずに狂いなく容易かつ正確にカットすることが可能となる。
【発明を実施するための最良の形態】
【００２２】
図１と図３は本発明の複数種類の絵図又は／及び文字をプリントしてカットする方法に用いる本発明のプリント及びカット装置の好適な実施の形態例を示し、図１と図３はその概略構成図である。以下に、このプリント及びカット装置を説明する。
【００２３】
図１と図３に示されたプリント及びカット装置は、例えば、前述の縦型のインクジェットプリンタ（以下、単にプリンタという）１００と、前述の縦型のプロッタ２００と、それらのプリンタ及びプロッタ駆動制御用の共通のホストコンピュータ３００とが組み合わされた構造をしている。プリンタ１００とプロッタ２００とは、図１に示したように、互いに分離させて並べて備えられている。そして、プリンタのプラテン１１０後方のメディア巻き取り手段１３０にロール状に巻き取られた絵図又は／及び文字をプリント済みのメディア１０を、プロッタのプラテン２１０前方のメディア巻き戻し手段２２０に支持し直す構造をしている。そして、そのメディア１０を、プロッタのプラテン２１０上に送り込む構造をしている。
なお、プリント及びカット装置には、図２に示したような、プリンタ１００とプロッタ２００とのプラテン１１０、２１０が互いに接近させて平行に並べて組み合わされた構造のものを用いることも、可能である。このプリント及びカット装置では、そのプリンタのプラテン１１０上から後方に送り出される絵図又は／及び文字をプリント済みのメディア１０を、その近くに並べて配置されたプロッタのプラテン２１０上に直接に連続して送り込む構造をしている。そして、そのメディア１０にプリンタによりプリントされた絵図又は／及び文字をそのカット線に沿って順次カットする構造としている。
このプリント及びカット装置は、メディア１０の上下方向に、同じ行には同一種類で同一大きさの絵図又は／及び文字Ａ、Ｂ等を同一方向に向けて、複数行に分けて並べてプリントする複数種類の絵図又は／及び文字のプリントデータをそれぞれ作成するプリントデータ作成手段３１０、及びその作成手段により作成したプリントデータを記憶させる第１記憶手段３２０を備えている。プリントデータ作成手段３１０には、例えば、図３に示したように、プリンタ駆動用のホストコンピュータを用いている。第１記憶手段３２０には、同じくプリンタ駆動用のホストコンピュータの電子メモリ機構又は／及びプリンタ１００内蔵の電子メモリ機構等を用いている。
また、第１記憶手段３２０に記憶させたプリントデータを用いて、メディア１０の上下方向に複数行に分けて並べてプリントされる複数種類の絵図又は／及び文字を所望のカット線に沿ってそれぞれカットするカットデータを作成するカットデータ作成手段３３０、及びその作成手段により作成したカットデータを記憶させる第２記憶手段３４０を備えている。カットデータ作成手段３３０には、例えば、図３に示したように、プロッタ駆動用のホストコンピュータ３００を用いている。第２記憶手段３４０には、同じくプロッタ駆動用のホストコンピュータ３００の電子メモリ機構又は／及びプロッタ２００内蔵の電子メモリ機構等を用いている。
また、メディア１０の上下方向に複数行に分けて並べプリントされる複数種類の絵図又は／及び文字Ａ、Ｂ等の種類、大きさを識別するためのバーコード等のＩＤコード２０からなるプリント種類識別マークデータ、及びその複数種類の絵図又は／及び文字Ａ、Ｂ等の上下左右方向を認識するためのバーコード等のＩＤコード２０からなるプリント方向識別マークデータを作成する付加データ作成手段３５０、その複数種類の絵図又は／及び文字Ａ、Ｂ等の位置を認識するためのトンボと呼ばれるＬ字状、十字状等をしたマーク２２からなるプリント位置指定マークデータを作成する位置データ作成手段３６０、並びにそれらの作成手段により作成したプリント種類識別マークデータ、プリント方向識別マークデータ及びプリント位置指定マークデータを記憶させる第３記憶手段３７０を備えている。付加データ作成手段３５０、位置データ作成手段３６０には、例えば、図３に示したように、プリンタ駆動用のホストコンピュータ３００を用いている。第３記憶手段３７０には、同じくプリンタ駆動用のホストコンピュータ３００の電子メモリ機構又は／及びプリンタ１００内蔵の電子メモリ機構等を用いている。
また、第１記憶手段３２０に記憶されたプリントデータを用いて、図４に示したように、メディア１０に複数種類の絵図又は／及び文字Ａ、Ｂ等を、同一行には、同一種類で同一大きさの絵図又は／及び文字Ａ、Ｂ等が同一方向を向いて複数並ぶように、その各行の最右端の絵図又は／及び文字の方形状をしたプリント区画の外側辺１１ａを上下方向に直線状に揃えて、上下方向に複数行に分けて並べてプリントする第１プリント手段１４０を備えている。第１プリント手段１４０には、例えば、図３に示したように、プリンタ１００のプリント機構及びプリンタ駆動用のホストコンピュータ３００を用いている。
また、第３記憶手段３７０に記憶されたプリント種類識別マークデータ、プリント方向識別データを用いて、図５と図６に示したように、メディア１０表面の上下方向に複数行に分けて並べてプリントされる複数種類の絵図又は／及び文字Ａ、Ｂ等の方形状をしたプリント区画（破線で囲まれた側部分）１１のそれぞれの４方側辺にその内側のプリント区画１１にプリントされる絵図又は／及び文字Ａ、Ｂ等の種類、大きさを識別するためのＩＤコード２０からなるプリント種類識別マーク、及びその絵図又は／及び文字Ａ、Ｂ等の上下左右方向を認識するためのＩＤコード２０からなるプリント方向識別マークをそれぞれプリントする第２プリント手段１５０を備えている。第２プリント手段１５０には、例えば、図３に示したように、プリンタ１００のプリント機構及びプリンタ駆動用のホストコンピュータ３００を用いている。
また、第３記憶手段３７０に記憶されたプリント位置指定マークデータを用いて、図５と図６に示したように、メディア１０表面の上下方向に複数行に分けて並べてプリントされる複数種類の絵図又は／及び文字Ａ、Ｂ等の方形状をしたプリント区画１１のそれぞれの４隅部に、その内側のプリント区画１１にプリントされる絵図又は／及び文字Ａ、Ｂ等の位置を認識するためのＬ字状等をしたプリント位置指定マーク２２を、その各行の最右端の絵図又は／及び文字のプリント区画１１の外側隅部のマーク２２が上下方向に一列に並ぶように、それぞれプリントする第３プリント手段１６０を備えている。第３プリント手段１６０には、例えば、図３に示したように、プリンタ１００のプリント機構及びプリンタ駆動用のホストコンピュータ３００を用いている。
また、図４に示したように、プリント位置指定マーク２２が上下方向に一列に並ぶようにプリントされるメディア部分よりも外側のメディア１０端部に、カット開始位置を示す直線等の指標ライン１５を上下方向にプリントする第４プリント手段１７０を備えている。第４プリント手段１７０には、例えば、図３に示したように、プリンタ１００のプリント機構及びプリンタ駆動用のホストコンピュータ３００を用いている。
また、メディア１０の上下方向に複数行に分けて並べてプリントされる各絵図又は／及び文字Ａ、Ｂ等のプリント区画１１の４隅部の１つ以上のプリント位置指定マーク２２と、その各絵図又は／及び文字Ａ、Ｂ等のプリント区画１１の４側辺の１つ以上のＩＤコード２０からなるプリント種類識別マーク及びプリント方向識別マークとをそれぞれ読み取って、そのマーク内側のプリント区画１１にプリントされる絵図又は／及び文字Ａ、Ｂ等の位置データとその絵図又は／及び文字の種類、大きさ及び上下左右方向のデータとを認識する認識手段４００を備えている。認識手段４００には、例えば、図３に示したように、プロッタのヘッド２５０に装着されて、そのヘッド２５０と共にメディア１０上方をＸ−Ｙ方向に相対的に移動する発光素子と受光素子との組み合わせからなる光学式センサ又はＣＣＤ（電荷結合素子）カメラ４１０と、プロッタ駆動用のホストコンピュータ３００内蔵の電子比較回路等を用いている。
また、認識手段４００により読み取ったプリント種類識別マーク、プリント方向識別マーク及びプリント位置指定マークから認識された絵図又は／及び文字の位置データと絵図又は／及び文字の種類、大きさ及び上下左右方向のデータとに基づいて、第２記憶手段３４０に記憶された絵図又は／及び文字のカットデータを用いて、そのマーク内側のプリント区画１１にプリントされた絵図又は／及び文字Ａ、Ｂ等を所望のカット線に沿ってカットするカッティング手段２６０を備えている。カッティング手段２６０には、例えば、図３に示したように、プロッタ２００のカット機構及びプロッタ駆動用のホストコンピュータ３００を用いている。
【００２４】
図５と図６には、個別にカットする絵図又は／及び文字Ａ、Ｂ等のプリント区画１１周囲にプリント位置指定マーク２２と共に絵図又は／及び文字Ａ、Ｂ等のプリント種類識別マーク、プリント方向識別マークであるＩＤコード２０をプリントする状態を示した。
ＩＤコード２０には、全コード中のいくつかのコードを利用してカットする絵図又は／及び文字Ａ、Ｂ等のプリント方向識別マークを付加することが可能で、プリント種類識別マークとプリント方向識別マークを一緒にした形態を示している。これは分離した別コードで表現しても目的の機能を達成できる。
コード２０の中にＩＤコード２０−１でプリント方向識別マークは方向マーク２０１としてコード２０の中に挿入可能で、方向マーク２０１以外は「Ａ」などのプリント種類識別マークとして使える例を示している。ＩＤコード２０−１〜４は方向マーク２０１を挿入した例で、ＩＤコード２０−１はカットする絵図又は／及び文字の上方を示し、ＩＤコード２０−２はカットする絵図又は／及び文字の下方を示し、ＩＤコード２０−３，４はカットする絵図又は／及び文字の右方、左方を示している。
図６は文字「Ｂ」が逆さになった例でＩＤコード２０−１〜４がそれに従って示されているものを表している。
また、プリント種類識別マークとプリント方向識別マーク用のＩＤマーク２０はプリント位置指定マーク２２に対して一定の位置関係にある方形位置に配置、プリントされることで、図３に示したヘッド２５０を可動制御は可能である。好適な例としては、図５，６に示したように、ＩＤマーク２０は、プリント位置指定マーク２２のプリント区画（破線で囲まれた側部分）１１のそれぞれの４方側辺内側にプリントされる。プリント位置指マーク２２とＩＤコード２０のきちっとした整列でなく、カット線１２、１４より内側に入り込まない状態に配置される。
ＩＤコード２０−１〜４は、方形位置にあるが、そのプリント箇所は４箇所でなく、１〜２箇所でもその機能を達成可能である。
【００２５】
次に、この図１と図３に示したプリント及びカット装置を用いた、本発明の複数種類の絵図又は／及び文字をプリントしてカットする方法の好適な実施の形態を説明する。
【００２６】
図１と図３に示したプリント及びカット装置を用いた複数種類の絵図又は／及び文字をプリントしてカットする方法においては、
そのａのステップにおいて、プリント及びカット装置の、例えば、プリンタ駆動用のホストコンピュータ３００をプリントデータ作成手段３１０に用いて、そのプリントデータ作成手段３１０により、図４に示したような、帯状に長いメディア１０の上下方向に、同じ行には同一種類で同一大きさの絵図又は／及び文字Ａ、Ｂ等を同一方向に向けて、複数行に分けて並べてプリントする複数種類の絵図又は／及び文字Ａ、Ｂ等のプリントデータをそれぞれ作成している。そして、それらのプリントデータを、プリント及びカット装置の、例えば、プリンタ駆動用のホストコンピュータ３００又はプリンタ内蔵のメモリ機構を第１記憶手段３２０に用いて、その第１記憶手段３２０に記憶させている。
次いで、そのｂのステップにおいて、第１記憶手段３２０に記憶させたプリントデータによりメディア１０の上下方向に複数行に分けて並べてプリントされる複数種類の絵図又は／及び文字Ａ、Ｂ等を、図５と図６に示したような、その輪郭線等の所望のカット線１２、１４に沿ってそれぞれカットするカットデータを、プリント及びカット装置の、例えば、プロッタ駆動用のホストコンピュータ３００をカットデータ作成手段３３０に用いて、そのカットデータ作成手段３３０により作成している。そして、それらのカットデータを、プリント及びカット装置の、例えば、プリンタ駆動用のホストコンピュータ３００又はプロッタ内蔵のメモリ機構を第２記憶手段３４０に用いて、第２記憶手段３４０に記憶させている。
次いで、そのｃのステップにおいて、メディア１０の上下方向に複数行に分けて並べてプリントされる複数種類の絵図又は／及び文字Ａ、Ｂ等の種類、大きさを識別するためのプリント種類識別マークデータ、及びその絵図又は／及び文字Ａ、Ｂ等の上下左右方向を認識するためのプリント方向識別マークデータ、並びにその複数種類の絵図又は／及び文字Ａ、Ｂ等の位置を認識するためのプリント位置指定マークデータを、プリント及びカット装置の、例えば、プリンタ駆動用のホストコンピュータ３００を付加データ作成手段３５０、位置データ作成手段３６０に用いて、それらの付加データ作成手段３５０、位置データ作成手段３６０によりそれぞれ作成している。そして、それらのプリント種類識別マークデータ、プリント方向識別マークデータ、プリント位置指定マークデータを、プリント及びカット装置の、例えば、プリンタ駆動用のホストコンピュータ３００又はプリンタ内蔵のメモリ機構を第３記憶手段３７０に用いて、その第３記憶手段３７０に記憶させている。
次いで、そのｄのステップにおいて、第１記憶手段３２０に記憶されたプリントデータを用いて、プリント及びカット装置の、例えば、プリンタ１００のプリント機構及びプリンタ駆動用のホストコンピュータ３００を第１プリント手段１４０に用いて、その第１プリント手段１４０により、図４に示したように、帯状に長いメディア１０に複数種類の絵図又は／及び文字Ａ、Ｂ等を、同一行には、同一種類で同一大きさの絵図又は／及び文字Ａ又はＢが同一方向を向いて複数並ぶように、その各行の最右端の絵図又は／及び文字の方形状をしたプリント区画の外側辺１１ａを上下方向に直線状に揃えて、上下方向に複数行に分けて並べてプリントしている。図４において、矢印は、縦型のプリンタにより帯状に長いメディア１０にその最下端から複数種類の絵図又は／及び文字Ａ、Ｂを上下方向に複数行に分けて並べてプリントした後に、その帯状に長いメディア１０をロール状に巻き取る方向を示している。
それと共に、そのｅのステップにおいて、第３記憶手段３７０に記憶されたプリント種類識別マークデータ、プリント方向識別マークデータを用いて、プリント及びカット装置の、例えば、プリンタ１００のプリント機構及びプリンタ駆動用のホストコンピュータ３００を第２プリント手段１５０に用いて、その第２プリント手段１５０により、図５と図６に示したように、メディア１０の上下方向に複数行に分けて並べてプリントされる複数種類の絵図又は／及び文字Ａ、Ｂ等のプリント区画１１のそれぞれの４方側辺に、その内側のプリント区画１１にプリントされる絵図又は／及び文字Ａ、Ｂ等の種類、大きさ及びその上下左右方向を認識するためのＩＤコード２０からなるプリント種類識別マーク、プリント方向識別マークをそれぞれプリントしている。
それと共に、そのｆのステップにおいて、第３記憶手段３７０に記憶されたプリント位置指定マークデータを用いて、プリント及びカット装置の、例えば、プリンタ１００のプリント機構及びプリンタ駆動用のホストコンピュータ３００を第３プリント手段１６０に用いて、その第３プリント手段１６０により、図５と図６に示したように、メディア１０の上下方向に複数行に分けて並べてプリントされる複数種類の絵図又は／及び文字Ａ、Ｂ等のプリント区画１１のそれぞれの４隅部に、その内側のプリント区画１１にプリントされる絵図又は／及び文字Ａ、Ｂ等の位置を認識するためのプリント位置指定マーク２２を、図４に示したように、その各行の最右端の絵図又は／及び文字のプリント区画１１ａの外側隅部のマーク２２が上下方向に一列に並ぶように、それぞれプリントしている。
それに加えて、そのｇのステップにおいて、プリント及びカット装置の、例えば、プリンタ１００のプリント機構及びプリンタ駆動用のホストコンピュータ３００を第４プリント手段１７０に用いて、その第４プリント手段１７０により、図４に示したように、上記プリント位置指定マーク２２が上下方向に一列に並ぶようにプリントされるメディア１０部分よりも外側のメディア１０端部に、カット開始位置を示す指標ライン１５を上下方向にプリントしている。
次いで、そのｈのステップにおいて、図３に示したような、プリント及びカット装置の、例えば、プロッタのヘッド２５０に装着された光学式センサ又はＣＣＤカメラ４１０とプロッタ駆動用のホストコンピュータ３００内蔵の電子比較回路等を認識手段４００に用いて、その認識手段４００により、図７に示したような、メディア１０にプリントされた指標ライン１５に近い最下行の最右端の絵図又は／及び文字Ａ等のプリント区画１１の４隅部の１つ以上のプリント位置指定マーク２２と、その最下行の一方の端部の絵図又は／及び文字Ａ等のプリント区画１１の４側辺の１つ以上のＩＤコード２０からなるプリント種類識別マークとプリント方向識別マークとをそれぞれ読み取っている。そして、それらの読み取ったプリント位置指定マーク２２とＩＤコード２０からなるプリント種類識別マークとプリント方向識別マークとから、該マーク内側のプリント区画１１にプリントされた絵図又は／及び文字Ａ等の位置データとその絵図又は／及び文字Ａ等の種類、大きさ及び上下左右方向のデータとを認識している。
その際には、メディア１０にプリントされた指標ライン１５に近い最下行の最右端の絵図又は／及び文字Ａ等が、メディア１０表面のいずれの側の端部に位置しているかを、指標ライン１５を見て、誤りなく確実に判別している。そして、その判別結果に基づき、プリント及びカット装置の認識手段４００の光学式センサ４１０等を、その指標ライン１５に近い最下行の最右端の絵図又は／及び文字Ａ等のプリント区画１１の４隅部の１つ以上のプリント位置指定マーク２２上方と、その最下行の最右端の絵図又は／及び文字Ａ等のプリント区画１１の４側辺の１つ以上のＩＤコード２０からなるプリント種類識別マークとプリント方向識別マークの上方とに的確に移動させて、それらのプリント位置指定マーク２２とＩＤコード２０からなるプリント種類識別マークとプリント方向識別マークとを認識手段４００により見誤りなく確実に読み取っている。
図７において、メディア１０にプリントされた指標ライン１５に近い最下行の最右端の絵図又は／及び文字Ａ等は、図４とは異なり、見掛け上、メディア１０の左端上端に位置している。その理由は、前述のような縦型のプリンタを用いて、帯状に長いメディア１０の上下方向に複数種類の絵図又は／及び文字Ａ、Ｂ等を複数行に分けて並べてプリントして、そのメディア１０をプリンタのメディア巻き取り手段１３０にロール状に巻き取った状態においては、そのメディア１０の上方向が、逆転して、ロール状に巻き取られたメディアの内側方向を向いているからである。図７において、矢印は、そのロール状に巻かれたメディア１０を、巻き戻して、プロッタのプラテン２１０に送り込む方向を示している。即ち、ここで、最右端とは、指標ライン１５がプリントされた側の一方の端部を指している。
次いで、そのｉのステップにおいて、その読み取ったプリント位置指定マーク２２とＩＤコード２０からなるプリント種類識別マークとプリント方向識別マークとから認識された絵図又は／及び文字Ａ等の位置データとその絵図又は／及び文字Ａ等の種類、大きさ及び上下左右方向のデータとに基づいて、第２記憶手段３４０に記憶された絵図又は／及び文字のカットデータを用いて、プリント及びカット装置のカッティング手段２６０により、図５に示したように、そのマーク２２及びＩＤコード２０内側のプリント区画１１にプリントされた絵図又は／及び文字Ａ等をその輪郭線等の所望のカット線（黒太字の外郭線）１２に沿ってカットしている。カッティング手段２６０には、例えば、プロッタ２００のカット機構及びプロッタ駆動用のホストコンピュータ３００を用いている。
以下、それに続けて、そのｊのステップにおいて、その最下行の絵図又は／及び文字Ａ等の内側に隣り合って並ぶ同じ行の次の絵図又は／及び文字Ａ等のプリント区画１１の４隅部の１つ以上のプリント位置指定マーク２２とその絵図又は／及び文字Ａ等のプリント区画１１の４側辺の１つ以上のＩＤコード２０からなるプリント種類識別マークとプリント方向識別マークとを、プリント及びカット装置の認識手段４００により読み取っている。そして、それらの読み取ったプリント位置指定マーク２２とＩＤコード２０からなるプリント種類識別マークとプリント方向識別マークとから、該マーク内側のプリント区画１１にプリントされた絵図又は／及び文字Ａ等の位置データとその絵図又は／及び文字Ａ等の種類、大きさ及び上下左右方向のデータとを認識している。そして、それらの認識された絵図又は／及び文字Ａ等の位置データとその絵図又は／及び文字Ａの種類、大きさ及び上下左右方向のデータとに基づいて、第２記憶手段３４０に記憶された絵図又は／及び文字Ａ等のカットデータを用いて、プリント及びカット装置のカッティング手段２６０により、図５に示したように、そのプリント位置指定マーク２２及びＩＤコード２０内側のプリント区画１１にプリントされた絵図又は／及び文字Ａ等を所望のカット線１２に沿ってカットするステップを、その最下行に並ぶ複数の絵図又は／及び文字Ａ等の全てにつき、順次行っている。
このようにして、ｊのステップにより、その最下行に並ぶ複数の絵図又は／及び文字Ａ等を所望のカット線１２に沿って順次カットし終えた後には、次のｋのステップにおいて、その最下行の絵図又は／及び文字Ａ等の次の上の行の絵図又は／及び文字Ａ等の最右端の絵図又は／及び文字Ａ等のプリント区画１１の４隅部の１つ以上のプリント位置指定マーク２２と、その最右端の絵図又は／及び文字Ａ等のプリント区画の４側辺の１つ以上のＩＤコード２０からなるプリント種類識別マークとプリント方向識別マークとを、プリント及びカット装置の認識手段４００により読み取っている。そして、それらの読み取ったマーク２２とＩＤコード２０からなるプリント種類識別マークとプリント方向識別マークとから、そのプリント位置指定マーク２２及びＩＤコード２０内側のプリント区画１１にプリントされた絵図又は／及び文字Ａ等の位置データとその絵図又は／及び文字Ａ等の種類、大きさ及び上下左右方向のデータとを認識している。そして、それらの認識された絵図又は／及び文字Ａ等の位置データとその絵図又は／及び文字Ａの種類、大きさ及び上下左右方向のデータとに基づいて、第２記憶手段３４０に記憶された絵図又は／及び文字Ａのカットデータを用いて、プリント及びカット装置のカッティング手段２６０により、図５に示したように、そのマーク２２及びＩＤコード２０内側のプリント区画１１にプリントされた絵図又は／及び文字Ａ等を所望のカット線１２に沿ってカットしている。
以下、それに続けて、そのｌのステップにおいて、その絵図又は／及び文字Ａ等の内側に隣り合って並ぶ同じ行の次の絵図又は／及び文字Ａ等のプリント区画１１の４隅部の１つ以上のプリント位置指定マーク２２とその絵図又は／及び文字Ａ等のプリント区画１１の４側辺の１つ以上のＩＤコード２０からなるプリント種類識別マークとプリント方向識別マークとを、プリント及びカット装置の認識手段４００により読み取っている。そして、それらの読み取ったプリント位置指定マーク２２とＩＤコード２０からなるプリント種類識別マークとプリント方向識別マークとから、そのプリント位置指定マーク２２及びＩＤコード２０内側のプリント区画１１にプリントされた絵図又は／及び文字Ａ等の位置データとその絵図又は／及び文字Ａ等の種類、大きさ及び上下左右方向のデータとを認識している。そして、その認識された絵図又は／及び文字Ａ等の位置データとその絵図又は／及び文字Ａ等の種類、大きさ及び上下左右方向のデータとに基づいて、第２記憶手段３４０に記憶された絵図又は／及び文字Ａ等のカットデータを用いて、プリント及びカット装置のカッティング手段２６０により、そのプリント位置指定マーク２２及びＩＤコード２０内側のプリント区画１１にプリントされた絵図又は／及び文字Ａ等を所望のカット線１２に沿ってカットするステップを、その同じ行に並ぶ複数の絵図又は／及び文字Ａ等の全てにつき、順次行っている。
以下、それに続けて、そのｍのステップにおいては、上記ｋ〜ｌと同様のステップを、図７に折線矢印で示したように、メディア１０に並べてプリントされた次の上の行から最上行に至る複数の絵図又は／及び文字Ｂ等につき、順に繰り返し行っている。
このｋ〜ｍのステップにおいて、下の行から次の上の行の複数の絵図又は／及び文字Ａ、Ｂ等を所望のカット線に沿ってカットするステップに移る際には、その各行に並ぶ最右端の絵図又は／及び文字Ａ、Ｂ等の方形状をしたプリント区画の外側辺１１ａが上下方向に直線状に揃っているために、その各行に並ぶ最右端の絵図又は／及び文字Ａ、Ｂ等のプリント区画の外側辺１１ａを、その各行上方を認識手段４００を移動させる際の開始線上方に定めることができるようにしている。そして、その開始線上方に認識手段４００を素早く移動させて、その各行の最右端の絵図又は／及び文字Ａ、Ｂ等のプリント区画１１の４隅部の１つ以上のプリント位置指定マーク２２と、その最右端の絵図又は／及び文字Ａ、Ｂ等のプリント区画１１の４側辺の１つ以上のＩＤコード２０からなるプリント種類識別マークとプリント方向識別マークとを、認識手段４００により時間を掛けずに迅速に読み取りできるようにしている。
そして、このようなａ〜ｍまでのステップを行うことにより、同じメディア１０に異なる大きさや異なる種類の複数の絵図又は／及び文字Ａ、Ｂ等を、同じ行には同じ大きさで同じ種類の絵図又は／及び文字Ａ、Ｂ等を同じ方向に向けて、上下方向に複数行に分けて並べてプリントして、そのメディア１０にプリントされた異なる大きさや異なる種類の絵図又は／及び文字Ａ、Ｂ等を所望のカット線１２、１４に沿ってそれぞれ順次余すところなくカットしている。
その際には、その同じメディア１０の上下方向に複数行に分けて並べてプリントされた大きさや種類の異なる複数種類の絵図又は／及び文字Ａ、Ｂ等の種類、大きさとその絵図又は／及び文字Ａ、Ｂ等の上下左右方向のデータと、その絵図又は／及び文字Ａ、Ｂ等の位置データとを、その各絵図又は／及び文字Ａ、Ｂ等のプリント区画１１の４側辺にそれぞれプリントされた１つ以上のＩＤコード２０からなるプリント種類識別マークとプリント方向識別マークと、その各絵図又は／及び文字Ａ、Ｂ等のプリント区画１１の４隅部にそれぞれプリントされた１つ以上のプリント位置指定マーク２２とを、プリント及びカット装置の認識手段４００によりそれぞれ読み取って、正しく認識している。そして、それらの認識結果に基づいて、プリント及びカット装置のカッティング手段２６０を用いて、そのマーク２２及びＩＤコード２０内側のプリント区画１１にプリントされた絵図又は／及び文字Ａ、Ｂ等を所望のカット線１２、１４に沿って常に誤りなくカットしている。そして、そのメディア１０表面の上下方向に複数行に分けて並べてプリントされた異なる大きさや種類の異なる複数複数の絵図又は／及び文字Ａ、Ｂ等の方向が、図７に示したように、上下逆転していたり左右逆転していたりしていても、それらの複数種類の絵図又は／及び文字Ａ、Ｂ等のそれぞれを所望のカット線に沿って何ら支障なく順次正確にカットできるようにしている。
【００２７】
図１と図３に示したプリント及びカット装置においては、その第１、第３記憶手段３２０、３７０に記憶されたメディア１０の上下方向に複数行に分けて並べてプリントする複数種類の絵図又は／及び文字Ａ、Ｂ等とそのＩＤコード２０からなるプリント種類識別マーク及びプリント方向識別マーク、プリント位置指定マーク２２、並びにそのメディア１０の上下方向に複数行に分けて並べてプリントされる複数種類の絵図又は／及び文字Ａ、Ｂ等を所望のカット線１２、１４に沿ってそれぞれカットするカット情報を表示する第１表示手段５００が備えられた構造とすると良い。第１表示手段５００には、例えば、図３に示したように、液晶ディスプレイ等を用いて、そのディスプレイを、プリント及びカット装置の、プリンタ１００の本体に備えると良い。
そして、その第１表示手段５００に表示されるプリント情報又は／及びカット情報から、メディア１０の上下方向に複数行に分けて並べてプリントする複数種類の絵図又は／及び文字Ａ、Ｂ等とそのＩＤコード２０からなるプリント種類識別マーク及びプリント方向識別マーク、プリント位置指定マーク２２のプリント情報の全てが、第１、第２、第３プリント手段１４０、１５０、１６０駆動用の第１、第３記憶手段３２０、３７０に余すところなく記憶されたか否かを、容易かつ確実に確認できるようにすると良い。そして、プリント及びカット装置が、そのメディア１０に複数種類の絵図又は／及び文字Ａ、Ｂ等の全てを余すところなくプリント可能な状態にセッティングされているか否かを、容易かつ確実に確認できるようにすると良い。
又はそれに代えて、又はそれに加えて、そのメディア１０の上下方向に複数行に分けてプリントされる複数種類の絵図又は／及び文字Ａ、Ｂ等を所望のカット線１２、１４に沿ってそれぞれカットするカッティング手段２６０駆動用のカット情報の全てが、第２記憶手段３４０に余すところなく記憶されたか否かを、容易かつ確実に確認できるようにすると良い。そして、プリント及びカット装置が、そのメディア１０にプリントされる複数種類の絵図又は／及び文字Ａ、Ｂ等の全てを所望のカット線１２、１４に沿って余すところなくカット可能な状態にセッティングされるか否かを、容易かつ確実に確認できるようにすると良い。
【００２８】
図１に示したプリント及びカット装置においては、その第１プリント手段１４０を用いて、メディア１０の上下方向に複数行に分けて並べてプリントした複数種類の絵図又は／及び文字Ａ、Ｂ等のプリント総数値又はその複数種類毎の絵図又は／及び文字Ａ、Ｂ等のプリント総数値と、カッティング手段２６０を用いて、メディア１０に上下方向に複数行に分けて並べてプリントされた複数種類の絵図又は／及び文字Ａ、Ｂ等を所望のカット線１２、１４に沿ってカットしたカット総数値又はその複数種類毎の絵図又は／及び文字Ａ、Ｂ等をそのカット線１２、１４に沿ってカットしたカット総数値とを並べて表示する第２表示手段６００が備えられた構造とすると良い。第１表示手段６００には、例えば、図３に示したように、液晶ディスプレイを用いて、そのディスプレイを、プリント及びカット装置の、プロッタ２００の本体に備えると良い。
そして、第１プリント手段１４０によりメディア１０の上下方向に複数行に分けて並べてプリントした複数種類の絵図又は／及び文字Ａ、Ｂ等のプリント総数値又はその複数種類毎の絵図又は／及び文字Ａ、Ｂ等のプリント総数値と、カッティング手段２６０によりメディア１０に上下方向に複数行に分けて並べてプリントされた複数種類の絵図又は／及び文字Ａ、Ｂ等を所望のカット線１２、１４に沿ってカットしたカット総数値又はその複数種類毎の絵図又は／及び文字Ａ、Ｂ等を所望のカット線１２、１４に沿ってカットしたカット総数値とを、第２表示手段６００に並べて表示できるようにすると良い。そして、その第２表示手段６００に並べて表示されたプリント総数値とカット総数値との差から、そのメディア１０に並べてプリントされた複数種類の絵図又は／及び文字Ａ、Ｂ等の全てが、所望のカット線１２、１４に沿って余す所なくカットされたか否かを、容易かつ確実に確認できるようにすると良い。又は、そのメディア１０に並べてプリントされた複数種類毎の絵図又は／及び文字Ａ、Ｂの全てが、所望のカット線１２、１４に沿ってそれぞれ余す所なくカットされたか否かを、容易かつ確実に確認できるようにすると良い。
【産業上の利用可能性】
【００２９】
本発明の複数種類の絵図又は／及び文字をプリントしてカットする方法と、それに用いるプリント及びカット装置は、前述の縦型のインクジェットプリンタとプロッタとをホストコンピュータにより駆動制御する装置に広く利用可能である。
また、本発明の複数種類の絵図又は／及び文字をプリントしてカットする方法と、それに用いるプリント及びカット装置は、縦型のインクジェットプリンタや縦型のプロッタに代えて、図８に示したような、ベッド状をした広いプラテン１１０上方をＸ−Ｙ方向（上下左右方向）に移動させるインクジェットヘッド１８０から噴射させるインク滴により、そのプラテン１１０上に搭載されたメディア１０に複数のインクのドットの配列からなる絵図又は／及び文字をプリントする横型と呼ばれるプリンタや、図１０に示した、前述の横型のプロッタを用いた装置にも、広く利用可能である。
さらに、本発明の複数種類の絵図又は／及び文字をプリントしてカットする方法と、それに用いるプリント及びカット装置は、インクジェットプリンタに代えて、レーザープリンタ等の他の種類のプリンタや、プロッタに代えて、他の構造のカット機器を用いた装置にも、広く利用可能である。
【図面の簡単な説明】
【００３０】
【図１】本発明のプリント及びカット装置の概略構成図である。
【図２】本発明のプリント及びカット装置の概略構成図である。
【図３】本発明のプリント及びカット装置の概略ブロック構成図である。
【図４】本発明の複数種類の絵図又は／及び文字をプリントしてカットする方法の説明図である。
【図５】本発明の複数種類の絵図又は／及び文字をプリントしてカットする方法の説明図である。
【図６】本発明の複数種類の絵図又は／及び文字をプリントしてカットする方法の説明図である。
【図７】本発明の複数種類の絵図又は／及び文字をプリントしてカットする方法の説明図である。
【図８】横型のインクジェットプリンタの概略構成図である。
【図９】縦型のプロッタの概略構成図である。
【図１０】横型のプロッタの概略構成図である。
【図１１】縦型のインクジェットプリンタの概略構成図である。
【図１２】縦型のインクジェットプリンタの概略構成図である。
【符号の説明】
【００３１】
１０  メディア
１１  プリント区画
１２、１４  カット線
１５  指標ライン
２０  ＩＤコード
２２  プリント位置指定マーク
１００  インクジェットプリンタ
１１０  プラテン
１２０  メディア巻き戻し手段
１３０  メディア巻き取り手段
１４０  第１プリント手段
１５０  第２プリント手段
１６０  第３プリント手段
１７０  第４プリント手段
１８０  インクジェットヘッド
２００  プロッタ
２１０  プラテン
２２０  メディア巻き戻し手段
２３０  メディア巻き取り手段
２４０  カッタ
２５０  ヘッド
２６０  カッティング手段
３００  ホストコンピュータ
３１０  プリントデータ作成手段
３２０  第１記憶手段
３３０  カットデータ作成手段
３４０  第２記憶手段
３５０  付加データ作成手段
３６０  位置データ作成手段
３７０  第３記憶手段
４００  認識手段
５００  第１表示手段
６００  第２表示手段
【図１】
2006289699.tif 000003
【図２】
2006289699.tif 000004
【図３】
2006289699.tif 000005
【図４】
2006289699.tif 000006
【図５】
2006289699.tif 000007
【図６】
2006289699.tif 000008
【図７】
2006289699.tif 000009
【図８】
2006289699.tif 000010
【図９】
2006289699.tif 000011
【図１０】
2006289699.tif 000012
【図１１】
2006289699.tif 000013
【図１２】
2006289699.tif 000014